(57)【特許請求の範囲】
【請求項１】
回線交換装置に接続され、前記回線交換装置による呼制御の介在を受けて、通話中の呼の保留および保留解除による呼の転送が可能な電話通信機能を備える通信端末であって、
表示画面を備えるディスプレイと、
発呼後の相手応答により生成される第１の通話路の第１の相手方を示す表示情報を、前記表示画面に表示する第１の表示手段と、
着呼後の応答操作に基づいて生成される第２の通話路の第２の相手方を示す表示情報を、前記表示画面に表示する第２の表示手段と、
前記第１の通話路または前記第２の通話路が保留状態になった後、前記第１の相手方または前記第２の相手方とは異なる第３の相手方との間で第３の通話路を生成したときに、前記第３の通話路の前記第３の相手方を示す表示情報を、前記表示画面に追加表示する第３の表示手段と、
前記第３の通話路が保留状態になった後、前記第３の相手方とは異なる第４の相手方との間で第４の通話路を生成したときに、前記第４の通話路の前記第４の相手方を示す表示情報を、前記表示画面に追加表示する第４の表示手段と、
を備え、
前記第４の通話路が保留状態になったときには、前記第４の表示手段の処理を繰り返す
ことを特徴とする通信端末。
【請求項２】
請求項１に記載の通信端末において、
前記表示画面の前記相手方を示す表示情報に関連して、現在通話中の相手方を識別可能とする表示をする通話中表示手段を備えることを特徴とする通信端末。
【請求項３】
請求項１または請求項２に記載の通信端末において、
前記回線交換装置は、ＳＩＰ（Ｓｅｓｓｉｏｎ  Ｉｎｉｔｉａｔｉｏｎ  Ｐｒｏｔｏｃｏｌ）サーバであり、通信端末はＩＰ（Ｉｎｔｅｒｎｅｔ  Ｐｒｏｔｏｃｏｌ）電話通信が可能であるＩＰ端末であることを特徴とする通信端末。
【請求項４】
回線交換装置に接続され、前記回線交換装置による呼制御の介在を受けて、通話中の呼の保留および保留解除による呼の転送が可能な電話通信機能を備える通信端末における通信経過表示方法であって、
前記通信端末は、
発呼後の相手応答により生成される第１の通話路の第１の相手方を示す表示情報を、前記表示画面に表示する第１の表示工程と、
着呼後の応答操作に基づいて生成される第２の通話路の第２の相手方を示す表示情報を、前記表示画面に表示する第２の表示工程と、
前記第１の通話路または前記第２の通話路が保留状態になった後、前記第１の相手方または前記第２の相手方とは異なる第３の相手方との間で第３の通話路を生成したときに、前記第３の通話路の前記第３の相手方を示す表示情報を、前記表示画面に追加表示する第３の表示工程と、
前記第３の通話路が保留状態になった後、前記第３の相手方とは異なる第４の相手方との間で第４の通話路を生成したときに、前記第４の通話路の前記第４の相手方を示す表示情報を、前記表示画面に追加表示する第４の表示工程と、
を備え、
前記第４の通話路が保留状態になったときには、前記第４の表示工程を繰り返すことを特徴とする通信端末における通信経過表示方法。
【発明の詳細な説明】
【技術分野】
【０００１】
この発明は、回線交換装置に接続され、この回線交換装置による呼制御の介在を受けて、通話中の呼の保留および保留解除による呼の転送が可能な電話通信機能を備える通信端末および当該通信端末における通信経過表示方法に関する。
【背景技術】
【０００２】
例えば、いわゆる主装置と呼ばれる回線交換装置とボタン電話機とからなるボタン電話システムにおいては、主装置による呼制御の介在を受けて、通話中の呼を保留、転送することが可能である。また、最近のＩＰ（Ｉｎｔｅｒｎｅｔ  Ｐｒｏｔｏｃｏｌ）電話通信を用いたＩＰ電話システムでは、例えばＳＩＰ（Ｓｅｓｓｉｏｎ  Ｉｎｉｔｉａｔｉｏｎ  Ｐｒｏｔｏｃｏｌ）サーバなどからなる回線交換装置に複数個のＩＰ電話端末が接続され、ボタン電話システムと同様に、ＳＩＰサーバによる呼制御の介在を受けて、通話中の呼を保留、転送することができる。
【０００３】
ところで、一般に、転送されてきた呼が、誰からのものかという発信元に関する情報は、口頭で伝えられる以外、従来は、伝達できず、不便であるという問題がある。この問題に対して、特許文献１（特開平２-２０６２７０号公報）には、ＩＳＤＮ網の場合において、Ｄチャネルを用いて、転送時に発信元の電話番号か、転送元の電話番号のいずれかを選択して送ることができるようにして、発信元に関する情報を、転送先に送り、転送先で当該発信元についての表示ができるようにした技術が開示されている。
【０００４】
上記の特許文献は、次の通りである。
【特許文献１】特開平２−２０６２７０号公報
【発明の開示】
【発明が解決しようとする課題】
【０００５】
しかしながら、上述した特許文献１の技術では、転送元と発信元のいずれかを、転送先の電話端末では表示されることになり、誰から転送されてきて、現在誰と通話をしているかなどという通信経過を表示することはできない。
【０００６】
この発明は、転送や接続先変更要求による通話先相手の変更の経路を、各端末で表示することができるようにすることを目的とする。
【課題を解決するための手段】
【０００７】
上記の課題を解決するために、この発明は、
回線交換装置に接続され、前記回線交換装置による呼制御の介在を受けて、通話中の呼の保留および保留解除による呼の転送が可能な電話通信機能を備える通信端末であって、
表示画面を備えるディスプレイと、
発呼後の相手応答により生成される第１の通話路の第１の相手方を示す表示情報を、前記表示画面に表示する第１の表示手段と、
着呼後の応答操作に基づいて生成される第２の通話路の第２の相手方を示す表示情報を、前記表示画面に表示する第２の表示手段と、
前記第１の通話路または前記第２の通話路が保留状態になった後、前記第１の相手方または前記第２の相手方とは異なる第３の相手方との間で第３の通話路を生成したときに、前記第３の通話路の前記第３の相手方を示す表示情報を、前記表示画面に追加表示する第３の表示手段と、
前記第３の通話路が保留状態になった後、前記第３の相手方とは異なる第４の相手方との間で第４の通話路を生成したときに、前記第４の通話路の前記第４の相手方を示す表示情報を、前記表示画面に追加表示する第４の表示手段と、
を備え、
前記第４の通話路が保留状態になったときには、前記第４の表示手段の処理を繰り返す
ことを特徴とする通信端末を提供する。
【０００８】
上述の構成のこの発明によれば、発呼後の相手応答により生成される第１の通話路の第１の相手方を示す表示情報を、または着呼後の応答操作に基づいて生成される第２の通話路の第２の相手方を示す表示情報を、先ず、表示画面に表示する。そして、保留後、第３の通話路を生成したときに、この第３の通話路の第３の相手方を示す表示情報を、第１の相手方を示す表示情報または第２の相手方を示す情報が表示されている表示画面に追加表示する。
【０００９】
さらに、第３の通話路が保留状態になった後、第３の相手方とは異なる第４の相手方との間で第４の通話路を生成したときに、第４の相手方を示す表示情報を、表示画面に追加表示する。以下、保留状態になる毎に、新たな通話の相手方を追加表示する。
【発明の効果】
【００１０】
この発明によれば、転送や接続先変更要求による通話先相手の変更の経路を、各端末で表示することができる。
【発明を実施するための最良の形態】
【００１１】
以下、この発明による通信端末における通信経過表示方法を、ＩＰ電話システムに適用した場合の一実施形態を、図を参照しながら説明する。
【００１２】
図１は、この発明の実施形態が適用されるＩＰ電話システムのシステム構成例を示す図である。この図１の例のＩＰ電話システムは、ＳＩＰ（Ｓｅｓｓｉｏｎ  Ｉｎｉｔｉａｔｉｏｎ  Ｐｒｏｔｏｃｏｌ）サーバ１と、ハブ２と、複数台のＩＰ電話機３０，３１，３２，３３・・・３ｎ（ｎは２以上の整数）とからなる。
【００１３】
ＩＰ電話機３０，３１，３２，３３・・・３ｎのそれぞれは、この発明による通信端末の実施形態であって、ハブ２に接続されて、ＬＡＮ（Ｌｏｃａｌ  Ａｒｅａ  Ｎｅｔｗｏｒｋ）を構成している。また、ハブ２にはＳＩＰサーバ１が接続され、当該ＳＩＰサーバ１もＬＡＮに接続されている。ＳＩＰサーバ１は、また、ＩＰ電話網４に接続されている。
【００１４】
ＳＩＰサーバ１は、回線交換装置の例であり、例えばパーソナルコンピュータで構成されている。ＳＩＰサーバ１は、この実施形態のＩＰ電話システムにおいて、複数台のＩＰ電話機３０〜３ｎと、ＩＰ網４を通じた相手先とのＩＰ電話通信のための回線交換制御や呼制御を行うと共に、ＩＰ電話システム内の複数個のＩＰ電話機３０〜３ｎの間におけるＩＰ電話通信のための回線交換制御や呼制御を行う。ＳＩＰサーバ１は、ＬＡＮに接続されているＩＰ電話機３０〜３ｎのそれぞれやハブ２のＬＡＮ上のアドレス（ＩＰアドレス）を記憶して管理する。
【００１５】
この実施形態においては、ＩＰ電話機３０〜３ｎのそれぞれは、ＳＩＰサーバ１と連携して、通話中の呼の保留、その保留解除および転送が可能となるように構成されている。すなわち、ＩＰ電話機３０〜３ｎのそれぞれは、この例では、保留および転送機能を備えており、当該ＩＰ電話機で通話中に保留キーを押下すると、その押下操作は保留操作（保留要求操作）となって、後述するようにして通話中回線は、保留状態になり、その保留回線を、保留された呼の回線に対応する回線キーに関わるＬＥＤ（Ｌｉｇｈｔ  Ｅｍｉｔｔｉｎｇ  Ｄｉｏｄｅ；発光ダイオード）の例えば点滅表示などにより表示される。そして、当該保留状態で、点滅表示されている回線キーが押下されると、その押下操作は、保留解除要求操作となる。
【００１６】
なお、説明の簡単のため、この例のＩＰ電話システムでは、ＳＩＰサーバ１に対して接続されるハブ２は１個としたが、ＳＩＰサーバ１に対して複数個のハブを設けても良いし、また、ハブ２の下位に他のハブを接続するようにしても良い。
【００１７】
［ＩＰ電話機のハードウエア構成例］
図２に、この実施の形態のＩＰ電話システムにおけるＩＰ電話機３０〜３ｎのハードウエア構成例を示す。ＩＰ電話機３０〜３ｎは、同じハードウエア構成を備えるので、図２では、ＩＰ電話機３０の場合として説明する。この実施の形態のＩＰ電話機３０は、図２に示すように、ＩＰ電話機本体ＴＥと、ハンドセットＨＳとからなる。ハンドセットＨＳは、図示を省略したが、送話器を構成するマイクロホンと、送話アンプと、受話器を構成するスピーカと、受話アンプとを備えている。
【００１８】
ＩＰ電話機本体ＴＥは、マイクロコンピュータにより構成されており、ＣＰＵ（Ｃｅｎｔｒａｌ  Ｐｒｏｃｅｓｓｉｎｇ  Ｕｎｉｔ）１０１に対して、システムバス１００を介して、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、ディスプレイコントローラ１０４と、ＬＥＤドライブ部１０５と、操作入力インターフェース（図ではインターフェースはＩ／Ｆと記載する。以下同じ）１０６と、ＬＡＮインターフェース１０７と、パケット処理部１０８と、音声データ入出力インターフェース１０９と、電話帳メモリ１１０とが接続されている。
【００１９】
ＲＯＭ１０２には、ＩＰ電話機としての発信時や着信時の処理シーケンスを実行するプログラム、保留要求・保留解除による転送要求入力を受け付け、保留・転送時の処理などを実行するためのプログラム、通信経路表示を実行するためのプログラムなどが記憶されている。
【００２０】
ＲＡＭ１０３は、主としてＲＯＭ１０２のプログラムがＣＰＵ１０１によって実行される際にワークエリアとして使用される。
【００２１】
ディスプレイコントローラ１０４には、ディスプレイ１１２が接続されており、このディスプレイ１１２の表示画面には、ＣＰＵ１０１の制御にしたがった表示が行われる。
【００２２】
また、操作入力インターフェース１０６には、テンキー、回線ボタンキー、保留キー、カーソルキー、その他の操作キーやフックスイッチ、さらにこの例では回覧発信操作キーを含む操作入力部１１４が接続されている。ＣＰＵ１０１は、操作入力インターフェース１０６を介して操作入力部１１４を通じて使用者がいずれの入力キーを操作したかを認識し、その認識結果に基づいて、キー入力操作に応じた処理をＲＯＭ１０２のプログラムに従って実行する。
【００２３】
ＬＥＤドライブ部１０５には、回線キーやその他のボタンキー、フックスイッチの状態などに関連した表示を行うための複数個のＬＥＤからなるＬＥＤ群１１３が接続されている。
【００２４】
ＬＡＮインターフェース１０７は、ＩＰネットワークを構成するＬＡＮを通じて送られてくるパケット化データを取り込み、また、ＬＡＮにパケット化データを送出するための機能を備える。
【００２５】
パケット処理部１０８は、ＬＡＮインターフェース１０７により取り込んだパケット化データを分解して、制御データや音声データを得る機能と、送信する制御データや音声データをパケット化して送出するパケット化データを生成する機能を有する。このパケット処理部１０８は、パケット化データを分解したり、生成したりするためのバッファメモリを備える。
【００２６】
なお、このパケット処理部１０８のパケット分解処理機能や生成処理機能は、ＣＰＵ１０１が、ＲＯＭ１０２に記憶されているプログラムに従って、ＲＡＭ１０３をワークエリアとして用いて実行するソフトウエア処理として実現することもできる。
【００２７】
音声データ入出力インターフェース１０９は、パケット分解されて得られた音声データをアナログ音声信号に変換してハンドセットＨＳに供給し、また、ハンドセットＨＳから入力されるアナログ音声信号をデジタル信号に変換して取り込む機能を備える。
【００２８】
電話帳メモリ１１０には、この実施形態では、相手先の電話番号と、その電話機番号（内線番号など）や氏名などが登録されて記憶保持される。
【００２９】
［通信経路表示方法の例の説明］
この実施形態の通信経路表示方法においては、発呼後の相手応答により、または着呼後の応答操作に基づいて、通話路が生成された後、保留・転送がなされたとき、その保留・転送の経路が次のようにして表示される。
【００３０】
この実施形態の通信経路表示方法が適用される通信シーケンス例を、図３およびその続きである図４に示す。この例は、ＩＰ電話機３０が、最初の発信元のＩＰ電話機となって、ＩＰ電話機３１に発呼を行い、その後、ＩＰ電話機３１が、当該呼の保留要求を出して、当該呼をＩＰ電話機３２に転送し、その後、ＩＰ電話機３２が、当該呼の保留要求を出して、当該呼をＩＰ電話機３３に転送し、さらに、その後、ＩＰ電話機３３が、当該呼の保留要求を出して、当該呼をＩＰ電話機３２に転送するようにした場合である。
【００３１】
そして、図５〜図１１に、図３および図４のシーケンス例におけるＩＰ電話機３０，３１，３２，３３のディスプレイ１１２の表示画面１１２Ｄでの表示例を示す。
【００３２】
なお、この例においては、ＩＰ電話機３０〜３３のそれぞれの電話帳メモリ１１０には、ＩＰ電話機３０〜３３の全てについての電話帳データが記憶されているものとする。
【００３３】
先ず、この例においては、図３に示すように、ＩＰ電話機３０の使用者が、ＩＰ電話機３０の操作入力部１１４を通じた操作により、発信先として、例えば、電話帳メモリ１１０からＩＰ電話機３１を読み出して指定した発呼操作を行う。発信先の指定は、電話帳メモリ１１０を用いずに、直接に発信先の電話番号を入力しても良いことは言うまでもない。以下、同様である。
【００３４】
この発呼操作があると、ＩＰ電話機３０のＣＰＵ１０１は、その操作を検知し、発信先をＩＰ電話機３１とした発呼を実行する。
【００３５】
このＩＰ電話機３０における発呼は、ＳＩＰサーバ１を介して、ＩＰ電話機３１において着呼となるが、この着呼に対してＩＰ電話機３１で使用者により応答操作がなされると、ＳＩＰサーバ１を通じて応答メッセージがＩＰ電話機３０に送られ、ＩＰ電話機３０とＩＰ電話機３１との間に通話路が生成される。
【００３６】
この状態における各ＩＰ電話機３０〜３３の表示画面１１２Ｄにおける表示例を図５に示す。すなわち、このときには、図５に示すように、ＩＰ電話機３０のディスプレイ１１２の表示画面１１２Ｄには、当該ＩＰ電話機の電話機名および年月日および時刻表示がなされると共に、通話中となった相手先のＩＰ電話機３１を示す表示情報、図の例では、電話機番号「１」が表示される。この電話機番号は、電話番号に対応して電話帳メモリ１１０に記憶されたものが読み出されて表示情報に変換されたものである。なお、電話帳メモリ１１０に登録されている相手先の氏名を表示するようにしてももちろん良い。
【００３７】
そして、通話中となった着信を受けたＩＰ電話機３１のディスプレイ１１２の表示画面１１２Ｄには、同様にして、相手方であるＩＰ電話機３０の電話機番号「０」が表示される。
【００３８】
ここで、ＩＰ電話機３０およびＩＰ電話機３１のディスプレイ１１２の表示画面１１２Ｄの電話機番号には、アンダーラインが付加されているが、これは、表示中の電話機番号の相手と通話中であることを示す表示の例である。
【００３９】
次に、この通話中に、図３の例では、ＩＰ電話機３１で保留キー操作がなされて、通話中の呼の保留要求がＳＩＰサーバ１に送出される。ＳＩＰサーバ１は、この保留要求を受けて、ＩＰ電話機３０からの呼を保留する呼制御を実行し、これにより、ＩＰ電話機３０からの呼は、保留状態となり、ＩＰ電話機３０の使用者に対しては保留音がハンドセットＨＳの受話器から放音される。
【００４０】
このとき、ＩＰ電話機３０は、ＳＩＰサーバ１からのメッセージにより、自端末が保留状態になったことを知る。保留音は、ＩＰ電話機自身が前記保留状態になったことを知って、自電話機に備えている保留音の発生部から出力するようにすることができる。また、保留要求を出したＩＰ電話機３１からの保留音やＳＩＰサーバ１から送られてくる保留音を受け取って、放音出力するようにしてもよい。そして、各ＩＰ電話機での保留状態の検知は、この保留音の受信を検知して行うようにしても良い。
【００４１】
次に、このシーケンス例では、ＩＰ電話機３１の使用者が、保留中の呼をＩＰ電話機３２に転送する目的で、その操作入力部１１４を通じた操作により、発信先としてＩＰ電話機３２を指定した発呼操作を行う。
【００４２】
この発呼操作があると、ＩＰ電話機３１のＣＰＵ１０１は、その操作を検知し、発信先をＩＰ電話機３２とした発呼を実行する。このＩＰ電話機３１における発呼は、ＳＩＰサーバ１を介して、ＩＰ電話機３２において着呼となるが、この着呼に対してＩＰ電話機３２で使用者により応答操作がなされると、ＳＩＰサーバ１を通じて応答メッセージがＩＰ電話機３１に送られ、ＩＰ電話機３１とＩＰ電話機３２との間に通話路が生成される。
【００４３】
この状態における各ＩＰ電話機３０〜３３の表示画面１１２Ｄにおける表示例を図６に示す。すなわち、このときには、図６に示すように、ＩＰ電話機３０のディスプレイ１１２の表示画面１１２Ｄには、通話中であったＩＰ電話機３１の電話機番号「１」が表示され続けるが、ＩＰ電話機３０はＩＰ電話機３１と通話中ではなくなったので、電話機番号「１」に付加されていたアンダーラインが消去される。このＩＰ電話機３０での表示により、ＩＰ電話機３０では、ＩＰ電話機３０からの呼が、保留中、あるいは、ＩＰ電話機１からいずれかに転送中であることが分かる。
【００４４】
一方、ＩＰ電話機３１のディスプレイ１１２の表示画面１１２Ｄでは、通話中であったＩＰ電話機３０の電話機番号「０」の下に、新たに通話中となったＩＰ電話機３２の電話機番号「２」が追加表示される。このとき、ＩＰ電話機３１は、ＩＰ電話機３０とは通話中ではなくなったので、電話機番号「０」に付加されていたアンダーラインが消去され、その代わりに、通話中となったＩＰ電話機３２の電話機番号「２」にアンダーラインが付加されて、通話中であることを使用者に報知する。
【００４５】
また、ＩＰ電話機３２のディスプレイ１１２の表示画面１１２Ｄでは、新たに通話中となったＩＰ電話機３１の電話機番号「１」が、通話中であることを示すアンダーラインが付加された状態で表示される。
【００４６】
次に、この実施形態では、ＩＰ電話機３２の使用者は、保留中の呼を、自分のＩＰ電話機３２に転送する目的で、その操作入力部１１４の保留表示中の回線キーを操作するにより、ＩＰ電話機３０からの呼の転送要求を行う。
【００４７】
ＳＩＰサーバ１は、この転送要求を受けて、ＩＰ電話機３０からの呼を、ＩＰ電話機３２に転送する呼制御を実行し、これにより、ＩＰ電話機３０からの呼は、ＩＰ電話機３２に転送され、ＩＰ電話機３０とＩＰ電話機３２とが通話状態になる。
【００４８】
この状態における各ＩＰ電話機３０〜３３の表示画面１１２Ｄにおける表示例を図７に示す。すなわち、このときには、図７に示すように、ＩＰ電話機３０のディスプレイ１１２の表示画面１１２Ｄには、最初の通話者であったＩＰ電話機３１の電話機番号「１」の下に、新たに通話中となったＩＰ電話機３２の電話機番号「２」が、通話中であるアンダーラインが付加された状態で、追加表示される。
【００４９】
このＩＰ電話機３０における表示により、ＩＰ電話機３０では、自電話機３０からの呼がＩＰ電話機３１からＩＰ電話機３２に転送されて、現在、ＩＰ電話機３２と通話中であることが分かる。
【００５０】
一方、ＩＰ電話機３１のディスプレイ１１２の表示画面１１２Ｄでは、最初の通話者であったＩＰ電話機３０の電話機番号「０」の下に追加表示されていたＩＰ電話機３２の電話機番号「２」に付加されていたアンダーラインが、ＩＰ電話機３１は、ＩＰ電話機３２とは通話中ではなくなったので、消去される。なお、この例では、最初の発信元のＩＰ電話機を除き、通話中ではなくなったＩＰ電話機の通信経路表示は、通話中ではなくなってから所定時間経過後に消去されるように構成されている。
【００５１】
このＩＰ電話機３１における表示により、ＩＰ電話機３１では、ＩＰ電話機３０からの呼が、自ＩＰ電話機３１からＩＰ電話機３２に転送されていることが分かる。
【００５２】
さらに、ＩＰ電話機３２のディスプレイ１１２の表示画面１１２Ｄでは、通話中であったＩＰ電話機３１の電話機番号「１」に付加されていたアンダーラインが、ＩＰ電話機３１と通話中ではなくなったので、消去される。そして、新たに通話中となったＩＰ電話機３０の電話機番号「０」が、通話中であるアンダーラインが付加された状態で、追加表示される。
【００５３】
このＩＰ電話機３２における表示により、ＩＰ電話機３２では、ＩＰ電話機３１から転送されてきたＩＰ電話機３０の呼が、自ＩＰ電話機３２に接続されて通話中であることが分かる。
【００５４】
次に、この通話中に、このシーケンス例では、呼をＩＰ電話機３３に転送する目的で、ＩＰ電話機３２で、先ず、保留キー操作がなされて、通話中の呼の保留要求がＳＩＰサーバ１に送出される。ＳＩＰサーバ１は、この保留要求を受けて、ＩＰ電話機３０からの呼を保留する呼制御を実行し、これにより、ＩＰ電話機３０からの呼は、保留状態となり、ＩＰ電話機３０の使用者に対しては保留音がハンドセットＨＳの受話器から放音される。
【００５５】
次に、このシーケンス例では、ＩＰ電話機３２の使用者が、保留中の呼をＩＰ電話機３３に転送する目的で、その操作入力部１１４を通じた操作により、発信先としてＩＰ電話機３３を指定した発呼操作を行う。
【００５６】
この発呼操作があると、ＩＰ電話機３２のＣＰＵ１０１は、その操作を検知し、発信先をＩＰ電話機３３とした発呼を実行する。このＩＰ電話機３２における発呼は、ＳＩＰサーバ１を介して、ＩＰ電話機３３において着呼となる。そして、図４に示すように、この着呼に対してＩＰ電話機３３で使用者により応答操作がなされると、ＳＩＰサーバ１を通じて応答メッセージがＩＰ電話機３２に送られ、ＩＰ電話機３２とＩＰ電話機３３との間に通話路が生成される。
【００５７】
この状態における各ＩＰ電話機３０〜３３の表示画面１１２Ｄにおける表示例を図８に示す。すなわち、このときには、図８に示すように、ＩＰ電話機３０のディスプレイ１１２の表示画面１１２Ｄには、それまで通話中であったＩＰ電話機３２の電話機番号「２」のアンダーラインが、ＩＰ電話機３０はＩＰ電話機３２と通話中ではなくなったので、消去される。このＩＰ電話機３０での表示により、ＩＰ電話機３０では、ＩＰ電話機３０からの呼が、ＩＰ電話機３１からＩＰ電話機３２に転送され、その後、保留中、あるいは、ＩＰ電話機３２からいずれかに転送中であることが分かる。
【００５８】
また、ＩＰ電話機３１のディスプレイ１１２の表示画面１１２Ｄの通信経過表示は、通話状態で無くなってから所定時間経過により、消去されている。
【００５９】
また、ＩＰ電話機３２のディスプレイ１１２の表示画面１１２Ｄでは、通話中であったＩＰ電話機３０の電話機番号「０」の下に、新たに通話中となったＩＰ電話機３３の電話機番号「３」が追加表示される。このとき、ＩＰ電話機３２は、ＩＰ電話機３０とは通話中ではなくなったので、電話機番号「０」に付加されていたアンダーラインが消去され、その代わりに、通話中となったＩＰ電話機３３の電話機番号「３」にアンダーラインが付加されて、通話中であることを使用者に報知する。
【００６０】
このＩＰ電話機３２での表示により、ＩＰ電話機３２では、ＩＰ電話機１から転送されてきた呼に接続してＩＰ電話機３０と通話し、その後、その呼をＩＰ電話機３３への転送のための通話中であることが分かる。
【００６１】
また、ＩＰ電話機３３のディスプレイ１１２の表示画面１１２Ｄでは、新たに通話中となったＩＰ電話機３２の電話機番号「２」が、通話中であることを示すアンダーラインが付加された状態で表示される。
【００６２】
次に、このシーケンス例においては、保留中の呼を、自分のＩＰ電話機３３に転送する目的で、その操作入力部１１４の保留表示中の回線キーを操作するにより、ＩＰ電話機３０からの呼の転送要求を行う。
【００６３】
ＳＩＰサーバ１は、この転送要求を受けて、ＩＰ電話機３０からの呼を、ＩＰ電話機３３に転送する呼制御を実行し、これにより、ＩＰ電話機３０からの呼は、ＩＰ電話機３３に転送され、ＩＰ電話機３０とＩＰ電話機３３とが通話状態になる。
【００６４】
この状態における各ＩＰ電話機３０〜３３の表示画面１１２Ｄにおける表示例を図９に示す。すなわち、このときには、図９に示すように、ＩＰ電話機３０のディスプレイ１１２の表示画面１１２Ｄには、最初の通話者であったＩＰ電話機３１の電話機番号「１」の下に、次の通話者であったＩＰ電話機３２の電話機番号「２」が表示され、さらに、新たに通話中となったＩＰ電話機３３の電話機番号「３」が、通話中であるアンダーラインが付加された状態で、追加表示される。
【００６５】
このＩＰ電話機３０における表示により、ＩＰ電話機３０では、自電話機３０からの呼がＩＰ電話機３１からＩＰ電話機３２に転送されて、さらに、ＩＰ電話機３２からＩＰ電話機３３に転送され、現在、ＩＰ電話機３３と通話中であることが分かる。
【００６６】
また、ＩＰ電話機３２のディスプレイ１１２の表示画面１１２Ｄでは、それまで通話中であったＩＰ電話機３３の電話機番号「３」の付加されていたアンダーラインが、ＩＰ電話機３２は、ＩＰ電話機３３とは通話中ではなくなったので、消去される。
【００６７】
このＩＰ電話機３２における表示により、ＩＰ電話機３２では、ＩＰ電話機１から転送されてきたＩＰ電話機３０の呼に接続して、ＩＰ電話機３０と通話した後、その呼をＩＰ電話機３３に転送したことが分かる。
【００６８】
さらに、ＩＰ電話機３３のディスプレイ１１２の表示画面１１２Ｄでは、通話中であったＩＰ電話機３２の電話機番号「２」に付加されていたアンダーラインが、ＩＰ電話機３２と通話中ではなくなったので、消去される。そして、新たに通話中となったＩＰ電話機３０の電話機番号「０」が、通話中であるアンダーラインが付加された状態で、追加表示される。
【００６９】
このＩＰ電話機３３における表示により、ＩＰ電話機３３では、ＩＰ電話機３２から転送されてきたＩＰ電話機３０の呼が、自ＩＰ電話機３３に接続されて通話中であることが分かる。
【００７０】
次に、この通話中に、このシーケンス例では、図４に示すように、呼をＩＰ電話機３２に転送して戻す目的で、ＩＰ電話機３３で、先ず、保留キー操作がなされて、通話中の呼の保留要求がＳＩＰサーバ１に送出される。ＳＩＰサーバ１は、この保留要求を受けて、ＩＰ電話機３０からの呼を保留する呼制御を実行し、これにより、ＩＰ電話機３０からの呼は、保留状態となり、ＩＰ電話機３０の使用者に対しては保留音がハンドセットＨＳの受話器から放音される。
【００７１】
次に、このシーケンス例では、ＩＰ電話機３３の使用者が、保留中の呼をＩＰ電話機３２に転送する目的で、その操作入力部１１４を通じた操作により、発信先としてＩＰ電話機３２を指定した発呼操作を行う。
【００７２】
この発呼操作があると、ＩＰ電話機３３のＣＰＵ１０１は、その操作を検知し、発信先をＩＰ電話機３２とした発呼を実行する。このＩＰ電話機３３における発呼は、ＳＩＰサーバ１を介して、ＩＰ電話機３２において着呼となる。そして、図４に示すように、この着呼に対してＩＰ電話機３２で使用者により応答操作がなされると、ＳＩＰサーバ１を通じて応答メッセージがＩＰ電話機３３に送られ、ＩＰ電話機３３とＩＰ電話機３２との間に通話路が再生成される。
【００７３】
この状態における各ＩＰ電話機３０〜３３の表示画面１１２Ｄにおける表示例を図１０に示す。すなわち、このときには、図１０に示すように、ＩＰ電話機３０のディスプレイ１１２の表示画面１１２Ｄには、それまで通話中であったＩＰ電話機３２の電話機番号「３」のアンダーラインが、ＩＰ電話機３０はＩＰ電話機３３と通話中ではなくなったので、消去される。
【００７４】
このＩＰ電話機３０での表示により、ＩＰ電話機３０では、ＩＰ電話機３０からの呼が、ＩＰ電話機３１からＩＰ電話機３２に転送され、さらに、ＩＰ電話機３２からＩＰ電話機３３に転送され、その後、保留中、あるいは、ＩＰ電話機３３からいずれかに転送中であることが分かる。
【００７５】
また、ＩＰ電話機３１のディスプレイ１１２の表示画面１１２Ｄの通信経過表示は、通話状態で無くなってから所定時間経過により、消去されている。
【００７６】
また、ＩＰ電話機３２のディスプレイ１１２の表示画面１１２Ｄでは、新たに通話中となったＩＰ電話機３３の電話機番号「３」が、前回通話中であった電話機番号「３」の下に、アンダーラインが付加された状態で、追加表示される。
【００７７】
このＩＰ電話機３２での表示により、ＩＰ電話機３２では、ＩＰ電話機１から転送されてきた呼に接続してＩＰ電話機３０と通話し、その後、その呼をＩＰ電話機３３への転送し、さらに、ＩＰ電話機３３から転送されてきたことが分かる。
【００７８】
また、ＩＰ電話機３３のディスプレイ１１２の表示画面１１２Ｄでは、新たに通話中となったＩＰ電話機３２の電話機番号「２」が、前回通話中であった電話機番号「０」の下に、通話中であることを示すアンダーラインが付加された状態で表示される。
【００７９】
このＩＰ電話機３３での表示により、ＩＰ電話機３３では、ＩＰ電話機２から転送されてきた呼に接続してＩＰ電話機３０と通話し、その後、その呼をＩＰ電話機３２への転送のための通話中であることが分かる。
【００８０】
次に、このシーケンス例においては、保留中の呼を、自分のＩＰ電話機３２に転送する目的で、その操作入力部１１４の保留表示中の回線キーを操作するにより、ＩＰ電話機３０からの呼の転送要求を行う。
【００８１】
ＳＩＰサーバ１は、この転送要求を受けて、ＩＰ電話機３０からの呼を、ＩＰ電話機３２に転送する呼制御を実行し、これにより、ＩＰ電話機３０からの呼は、ＩＰ電話機３２に転送され、ＩＰ電話機３０とＩＰ電話機３２とが通話状態になる。
【００８２】
この状態における各ＩＰ電話機３０〜３３の表示画面１１２Ｄにおける表示例を図１１に示す。すなわち、このときには、図１１に示すように、ＩＰ電話機３０のディスプレイ１１２の表示画面１１２Ｄには、最初の通話者であったＩＰ電話機３１の電話機番号「１」の下に、次の通話者であったＩＰ電話機３２の電話機番号「２」が表示され、その下に、次の通話者であったＩＰ電話機３３の電話機番号「３」が表示され、さらに、その下に、新たに通話中となったＩＰ電話機３２の電話機番号「２」が、通話中であるアンダーラインが付加された状態で、追加表示される。
【００８３】
このＩＰ電話機３０における表示により、ＩＰ電話機３０では、自電話機３０からの呼が、ＩＰ電話機３１からＩＰ電話機３２に転送されて、次に、ＩＰ電話機３２からＩＰ電話機３３に転送され、さらに、ＩＰ電話機３３からＩＰ電話機３２に転送され、現在、ＩＰ電話機３２に接続されて通話中であることが分かる。
【００８４】
また、ＩＰ電話機３２のディスプレイ１１２の表示画面１１２Ｄでは、それまで通話中であったＩＰ電話機３３の電話機番号「３」の付加されていたアンダーラインが、ＩＰ電話機３２は、ＩＰ電話機３３とは通話中ではなくなったので、消去される。そして、その下に、新たに通話中となったＩＰ電話機３０の電話機番号「０」が、通話中であるアンダーラインが付加された状態で、追加表示される。
【００８５】
このＩＰ電話機３２における表示により、ＩＰ電話機３２では、ＩＰ電話機１から転送されてきたＩＰ電話機３０の呼に接続して、ＩＰ電話機３０と通話した後、その呼をＩＰ電話機３３に転送し、その後、ＩＰ電話機３３から転送されてきたことが分かる。
【００８６】
なお、ＩＰ電話機３１およびＩＰ電話機３３のディスプレイ１１２の表示画面１１２Ｄでは、通話中で無くなってから所定時間が経過したので、通信経過表示は消去されている状態を示している。
【００８７】
以上説明したシーケンス例によれば、上述もしたように、ＩＰ電話機３０からの発呼がどのように転送されて通話されたかが、各ＩＰ電話機のディスプレイ１１２の表示画面１１２Ｄにおける通信経過表示から、判断することができる。この例の場合に、ＩＰ電話機３０〜３３のそれぞれにおける通信経過表示と、当該通信経過表示における転送、通話の状態を、図１２に示す。
【００８８】
この図１２において、通信経過表示の段階［Ａ］は、図５に示した段階の通信経過表示に関するものであり、通信経過表示の段階［Ｂ］は、図７に示した段階の通信経過表示に関するものであり、通信経過表示の段階［Ｃ］は、図９に示した段階の通信経過表示に関するものであり、通信経過表示の段階［Ｄ］は、図１１に示した段階の通信経過表示に関するものである。
【００８９】
［ＩＰ電話機での通信経過表示処理動作］
＜最初の発信元ＩＰ電話機での処理動作＞
図１３および図１４に、上述した通信経過表示を実現するための発信元ＩＰ電話機の処理ルーチンの例を示す。発信元ＩＰ電話機は、上述のシーケンス例では、ＩＰ電話機３０である。この図１３および図１４のフローチャートにおける処理ルーチンにおける各ステップは、発信元ＩＰ電話機のＣＰＵ１０１が主として実行するものである。
【００９０】
まず、発信元ＩＰ電話機のＣＰＵ１０１は、発呼操作がなされたか否か判別し（ステップＳ１）、発呼操作がなされていないと判別したときには、その他の処理を行う（ステップＳ２）。
【００９１】
ステップＳ１で、発呼操作がなされと判別したときには、発信元ＩＰ電話機のＣＰＵ１０１は、相手が応答したか否か判別し（ステップＳ３）、相手が応答しなかったと判別したときには、不応答時の処理を行う。
【００９２】
ステップＳ３で、相手が応答したと判別したときには、ＳＩＰサーバ１の介在を受けて、当該相手のＩＰ電話機との間の通話路を生成する（ステップＳ４）。そして、通話の相手方を示す表示情報、上述の例では、電話機番号を、表示画面に表示すると共に、通話中を示す表示、上述の例では、電話機番号にアンダーラインの付加表示を行う（ステップＳ５）。
【００９３】
次に、発信元ＩＰ電話機のＣＰＵ１０１は、ＳＩＰサーバ１からの保留要求を受信したか否か判別し（ステップＳ６）、保留要求を受信したと判別したときには、保留状態になる（ステップＳ７）。このとき、発信元ＩＰ電話機のＣＰＵ１０１は、表示画面１１２Ｄにおいて、通話中を示す表示、上述の例ではアンダーライン、を消去するようにする。
【００９４】
そして、発信元ＩＰ電話機のＣＰＵ１０１は、ＳＩＰサーバ１からの転送要求の受信を待ち（ステップＳ８）、転送要求を受信したと判別したときには、相手方ＩＰ電話機との通話路を生成する（ステップＳ９）。
【００９５】
そして、発信元ＩＰ電話機のＣＰＵ１０１は、通話の相手方を示す表示情報を、表示画面１１２Ｄに追加表示する。そして、追加表示した通話の相手方を示す表示情報には、通話中を示す表示も付加する（ステップＳ１０）。そして、ステップＳ６に戻り、発信元ＩＰ電話機のＣＰＵ１０１は、ＳＩＰサーバ１からの保留要求を受信したか否か判別する。
【００９６】
そして、発信元ＩＰ電話機のＣＰＵ１０１は、ステップＳ６で、ＳＩＰサーバ１からの保留要求を受信しなかったと判別したときには、保留キーが使用者により操作されたか否か判別し（図１４のステップＳ２１）、保留キーは操作されていないと判別したときには、オンフックなどによる終話操作がなされたか判別し（ステップＳ２２）、終話操作があったと判別したときには、この処理ルーチンを終了する。
【００９７】
また、ステップＳ２２で、終話操作もなされていないと判別したときには、発信元ＩＰ電話機のＣＰＵ１０１は、図１３のステップＳ６に戻り、このステップＳ６以降の処理を繰り返す。
【００９８】
また、ステップＳ２１で、保留キーが操作されたと判別したときには、発信元ＩＰ電話機のＣＰＵ１０１は、ＳＩＰサーバ１に対して保留要求を送出し、ＳＩＰサーバ１の呼制御を受けて保留状態になる（ステップＳ２３）。このとき、発信元ＩＰ電話機のＣＰＵ１０１は、表示画面１１２Ｄにおいて、通話中を示す表示、上述の例ではアンダーライン、を消去するようにする。
【００９９】
次に、発信元ＩＰ電話機のＣＰＵ１０１は、転送先への発呼操作がなされたか否か判別し（ステップＳ２４）、なされていないと判別したときには、保留解除の操作がなされたか否か判別し（ステップＳ２５）、保留解除の操作がなされていないと判別したときには、ステップＳ２４に戻る。また、ステップＳ２５で、保留解除の操作がなされたと判別したときには、発信元ＩＰ電話機のＣＰＵ１０１は、保留中の呼の通話路を再生成する（ステップＳ２６）。この自電話機が保留要求して保留中の呼の再生成の再には、既に再生成された通話の相手は表示画面１１２Ｄに表示されているので、再度通話中となったことにより、再度、通話中を示す表示、この例ではアンダーラインが表示される。その後、図１３のステップＳ６に戻り、当該ステップＳ６以降の処理を繰り返す。
【０１００】
そして、ステップＳ２４で、発呼操作がなされたと判別したときには、発信元ＩＰ電話機のＣＰＵ１０１は、相手が応答したか否か判別し（ステップＳ２７）、相手が応答しなかったと判別したときには、不応答時の処理を行う。
【０１０１】
ステップＳ２７で、相手が応答したと判別したときには、発信元ＩＰ電話機のＣＰＵ１０１は、当該相手のＩＰ電話機との間の通話路を生成する（ステップＳ２８）。そして、通話の相手方を示す表示情報を、表示画面に追加表示すると共に、当該追加表示した通話の相手方を示す表示情報に関連して通話中を示す表示を行う（ステップＳ２９）。
【０１０２】
そして、次に、発信元ＩＰ電話機のＣＰＵ１０１は、図１３のステップＳ６に戻り、このステップＳ６以降の処理を繰り返す。
【０１０３】
＜着信を受けたＩＰ電話機での処理動作＞
図１５およびその続きである図１６に、発信元ＩＰ電話機からの発信の着呼を受けたＩＰ電話機（以下、転送ＩＰ電話機という）が、上述した通信経過表示を実現するために実行する処理ルーチンの例を示す。転送ＩＰ電話機は、上述のシーケンス例では、ＩＰ電話機３１〜３３である。この図１５および図１６のフローチャートに示す処理ルーチンにおける各ステップは、転送ＩＰ電話機のＣＰＵ１０１が主として実行するものである。
【０１０４】
転送ＩＰ電話機のＣＰＵ１０１は、着呼を監視し（ステップＳ３１）、着呼を検知しないときには、その他の処理ルーチンに移行する（ステップＳ３２）。そして、ステップＳ３１で、着呼を検知したときには、転送ＩＰ電話機のＣＰＵ１０１は、使用者による応答操作があったか否か判別し（ステップＳ３３）、応答操作が無かったと判別したときには、発信側が切断するのを待つなどの不応答時の処理を行う。
【０１０５】
ステップＳ３３で、応答操作があったと判別したときには、転送ＩＰ電話機のＣＰＵ１０１は、ＳＩＰサーバ１の介在を受けて、相手方のＩＰ電話機との間で通話路を生成する（ステップＳ３４）。このとき、ＣＰＵ１０１は、ＳＩＰサーバから送られてくる呼設定のためのメッセージから、相手方のＩＰ電話機を検知し、自端末のディスプレイ１１２の表示画面１１２Ｄに、生成された通話路の相手方を示す表示情報、上述の例では、電話機番号を表示すると共に、通話中を示す表示、上述の例では、電話機番号にアンダーラインの付加表示を行う（ステップＳ３５）。
【０１０６】
次に、転送ＩＰ電話機のＣＰＵ１０１は、保留キーが使用者により操作されたか否か判別し（ステップＳ３６）、保留キーは操作されていないと判別したときには、ＳＩＰサーバ１からの保留要求を受信したか否か判別し（図１６のステップＳ５２）、ＳＩＰサーバからの保留要求も受信していないと判別したときには、オンフックなどによる終話操作がなされたか判別し（ステップＳ５３）、終話操作があったと判別したときには、この処理ルーチンを終了する。また、ステップＳ５３で、終話操作が無かったと判別したときには、転送ＩＰ電話機のＣＰＵ１０１は、図１５のステップＳ３６に戻る。
【０１０７】
このステップＳ３６で、保留キーが操作されたと判別したときには、発信元ＩＰ電話機のＣＰＵ１０１は、ＳＩＰサーバ１に対して保留要求を送出し、ＳＩＰサーバ１の呼制御を受けて保留状態になる（ステップＳ３７）。このとき、発信元ＩＰ電話機のＣＰＵ１０１は、表示画面１１２Ｄにおいて、通話中を示す表示、上述の例ではアンダーライン、を消去するようにする。
【０１０８】
次に、転送ＩＰ電話機のＣＰＵ１０１は、転送先への発呼操作がなされたか否か判別し（ステップＳ３８）、なされていないと判別したときには、保留解除の操作がなされたか否か判別し（ステップＳ３９）、保留解除の操作がなされていないと判別したときには、ステップＳ３８に戻る。また、ステップＳ３９で、保留解除の操作がなされたと判別したときには、転送ＩＰ電話機のＣＰＵ１０１は、保留中の呼の通話路を再生成する（ステップＳ４０）。この自電話機が保留要求して保留中の呼の再生成の再には、既に再生成された通話の相手は表示画面１１２Ｄに表示されているので、再度通話中となったことにより、再度、通話中を示す表示、この例ではアンダーラインが表示される。その後、ステップＳ３６に戻り、当該ステップＳ３６以降の処理を繰り返す。
【０１０９】
そして、ステップＳ３８で、発呼操作がなされたと判別したときには、転送ＩＰ電話機のＣＰＵ１０１は、相手が応答したか否か判別し（ステップＳ４１）、相手が応答しなかったと判別したときには、不応答時の処理を行う。
【０１１０】
ステップＳ４１で、相手が応答したと判別したときには、転送ＩＰ電話機のＣＰＵ１０１は、当該相手のＩＰ電話機との間の通話路を生成する（ステップＳ４２）。そして、通話の相手方を示す表示情報を、表示画面に追加表示すると共に、当該追加表示した通話の相手方を示す表示情報に関連して通話中を示す表示を行う（図１６のステップＳ５１）。
【０１１１】
なお、転送ＩＰ電話機のＣＰＵ１０１は、このステップＳ５１で行なった通信経過表示については、この時点からタイマー動作を開始して、自分の転送ＩＰ電話機が通話状態にならずに所定時間経過したら、消去するようにする。
【０１１２】
次に、転送ＩＰ電話機のＣＰＵ１０１は、ステップＳ５２に進み、ＳＩＰサーバ１からの保留要求を受信したか否か判別する。そして、このステップＳ５２で、ＳＩＰサーバ１からの保留要求を受信したと判別したときには、保留状態になる（ステップＳ５４）。このとき、転送ＩＰ電話機のＣＰＵ１０１は、表示画面１１２Ｄにおいて、通話中を示す表示、上述の例ではアンダーライン、を消去するようにする。
【０１１３】
そして、転送ＩＰ電話機のＣＰＵ１０１は、ＳＩＰサーバ１からの転送要求の受信を待ち（ステップＳ５５）、転送要求を受信したと判別したときには、相手方ＩＰ電話機との通話路を生成する（ステップＳ５６）。
【０１１４】
そして、転送ＩＰ電話機のＣＰＵ１０１は、通話の相手方を示す表示情報を、表示画面１１２Ｄに追加表示する。そして、追加表示した通話の相手方を示す表示情報には、通話中を示す表示も付加する（ステップＳ５７）。転送ＩＰ電話機のＣＰＵ１０１は、このステップＳ５７で行なった通信経過表示についても、この時点からタイマー動作を開始して、自分の転送ＩＰ電話機が通話状態にならずに所定時間経過したら、消去するようにする。
【０１１５】
そして、転送ＩＰ電話機のＣＰＵ１０１は、ステップＳ３６に戻り、保留キーが操作されたか否か判別し、このステップＳ３６以降の処理を繰り返すようにする。
【０１１６】
［他の実施形態および変形例］
なお、ＩＰ電話機のディスプレイ１１２の表示画面における通話の相手方を示す表示情報および通話中を表わす表示は、前述もしたように、上述の例に限られるものではない。例えば、電話帳メモリに登録されている氏名を、相手方を示す情報として表示画面に表示するようにしても良い。そして、通話中である表示は、当該氏名や電話機番号を点滅させ、通話状態でなくなったら、当該氏名や電話機番号の点滅を終了するようにしても良い。
【０１１７】
また、上述の実施形態では、電話帳メモリに記憶されている情報を、相手方を示す表示情報として用いるようにしたが、電話帳メモリに記憶されていない相手方の場合には、予め定めた所定の記号を表示するようにしても良い。その場合には、相手方は特定できないが、どのような通信経過となっているかを知ることができるので、この発明の所期の目的は達成することができる。
【０１１８】
なお、相手方を示す表示情報は、呼設定メッセージから得られるＩＰアドレスや、端末ＩＤなどを用いて表示するようにしても、もちろん良い。
【０１１９】
なお、ＩＰ電話システムを構成するＩＰ電話機の全てに、氏名や電話機番号と電話番号、また、ＩＰアドレスとの対応テーブルを予め記憶させておくようにし、その対応テーブルから、子設定メッセージに含まれる情報を検索子として、その対応テーブルから、電話機番号や氏名を取得して、それを相手方を示す表示情報とするようにしても良い。
【０１２０】
なお、上述の実施形態は、ＩＰ電話システム内のＩＰ電話機間における転送について説明したが、転送メンバーとしては、ＩＰ網４を通じて図示を省略したＩＰ電話システム外の電話端末であっても、もちろんよい。
【０１２１】
また、上述の実施形態は、この発明が適用される電話システムが、ＳＩＰサーバを用いたＩＰ電話通信システムである場合であるが、この発明が適用される電話システムは、ＩＰ電話通信システムに限られるものではなく、例えば、回線交換装置としての主装置と、ボタン電話機とからなるボタン電話システムや、その他の種々の電話システムでもよい。
【０１２２】
なお、この発明の通信端末は、回線交換装置と共に、保留・転送機能を実現することができる電話機能を備えるものであれば、電話機ではなく、電話機能つきのパーソナルコンピュータなどであっても良い。
【図面の簡単な説明】
【０１２３】
【図１】この発明による通信経過表示方法の実施形態が適用されるＩＰ電話システムの一例の構成例を示すブロック図である。
【図２】この発明による通信端末の実施形態としてのＩＰ電話機の構成例を示すブロック図である。
【図３】この発明による通信経過表示方法の実施形態を説明するためのシーケンス例を示す図である。
【図４】この発明による通信経過表示方法の実施形態を説明するためのシーケンス例を示す図である。
【図５】この発明による通信経過表示方法の実施形態が適用されるＩＰ電話システムの一例を構成するＩＰ電話機の表示画面における表示例を説明するための図である。
【図６】この発明による通信経過表示方法の実施形態が適用されるＩＰ電話システムの一例を構成するＩＰ電話機の表示画面における表示例を説明するための図である。
【図７】この発明による通信経過表示方法の実施形態が適用されるＩＰ電話システムの一例を構成するＩＰ電話機の表示画面における表示例を説明するための図である。
【図８】この発明による通信経過表示方法の実施形態が適用されるＩＰ電話システムの一例を構成するＩＰ電話機の表示画面における表示例を説明するための図である。
【図９】この発明による通信経過表示方法の実施形態が適用されるＩＰ電話システムの一例を構成するＩＰ電話機の表示画面における表示例を説明するための図である。
【図１０】この発明による通信経過表示方法の実施形態が適用されるＩＰ電話システムの一例を構成するＩＰ電話機の表示画面における表示例を説明するための図である。
【図１１】この発明による通信経過表示方法の実施形態が適用されるＩＰ電話システムの一例を構成するＩＰ電話機の表示画面における表示例を説明するための図である。
【図１２】この発明による通信経過表示方法の実施形態の表示例を説明するための図である。
【図１３】この発明による通信経過表示方法の実施形態が適用されるＩＰ電話システムの一例を構成するＩＰ電話機における処理の流れを説明するためのフローチャートである。
【図１４】この発明による通信経過表示方法の実施形態が適用されるＩＰ電話システムの一例を構成するＩＰ電話機における処理の流れを説明するためのフローチャートである。
【図１５】この発明による通信経過表示方法の実施形態が適用されるＩＰ電話システムの一例を構成するＩＰ電話機における処理の流れを説明するためのフローチャートである。
【図１６】この発明による通信経過表示方法の実施形態が適用されるＩＰ電話システムの一例を構成するＩＰ電話機における処理の流れを説明するためのフローチャートである。
【符号の説明】
【０１２４】
１…ＳＩＰサーバ、２…ハブ、３０〜３ｎ…ＩＰ電話機
【図１】
0005051368.tif 000002
【図２】
0005051368.tif 000003
【図３】
0005051368.tif 000004
【図４】
0005051368.tif 000005
【図５】
0005051368.tif 000006
【図６】
0005051368.tif 000007
【図７】
0005051368.tif 000008
【図８】
0005051368.tif 000009
【図９】
0005051368.tif 000010
【図１０】
0005051368.tif 000011
【図１１】
0005051368.tif 000012
【図１２】
0005051368.tif 000013
【図１３】
0005051368.tif 000014
【図１４】
0005051368.tif 000015
【図１５】
0005051368.tif 000016
【図１６】
0005051368.tif 000017